(57)【特許請求の範囲】
【請求項１】
歌唱者の入力音声を高音側へシフトする男から女への音声変換と該入力音声を低音側へシフトする女から男への音声変換の二方向の音声変換を選択的に行う音声変換手段と、
前記入力音声を分析して当該歌唱者の性別を判別する音声分析手段と、
前記音声分析手段の判別結果と楽曲のボーカルの性別とを比較し、前記音声分析手段の判別結果が男、前記ボーカルの性別が女である場合には、男から女への音声変換の方向を前記音声変換手段に指定する一方、逆の場合には、女から男への音声変換の方向を前記音声変換手段に指定する変換方向指定手段と
を具備することを特徴とするカラオケ装置。
【請求項２】
カラオケの楽曲データに識別情報を含めておき、
この識別情報に基づき楽曲のボーカルの性別を判別する判別手段を具備することを特徴とする請求項１に記載のカラオケ装置。
【請求項３】
歌唱者の入力音声を高音側へシフトする男から女への音声変換と該入力音声を低音側へシフトする女から男への音声変換の二方向の音声変換を選択的に行う音声変換手段と、
前記入力音声を分析してその音高を検出する音声分析手段と、
前記音声分析手段によって検出される音高と楽曲のメロディの音高とを比較し、前記音声分析手段によって検出される音高が前記楽曲のメロディの音高より所定量以上高い場合には、女から男への音声変換の方向を前記音声変換手段に指定する一方、前記音声分析手段によって検出される音高が前記楽曲のメロディの音高より所定量以上低い場合には、男から女への音声変換の方向を前記音声変換手段に指定する変換方向指定手段と
を具備することを特徴とするカラオケ装置。
【請求項４】
前記音声変換手段による音声変換は、音高のシフトのみならず、フォルマントのシフトを伴うことを特徴とする請求項１ないし３のいずれかに記載のカラオケ装置。
【請求項５】
前記音声分析手段は、入力音声のフォルマント特性をも分析するとともに、
前記音声変換手段は、前記音声分析手段の分析結果に応じて、男から女への音声変換を行う場合には、第１および第２フォルマントの間隔が広いほどシフト量が少なくなるように入力音声のフォルマントをシフトさせる一方、女から男への音声変換を行う場合には、第１および第２フォルマントの間隔が広いほどシフト量が大きくなるように入力音声のフォルマントをシフトさせることを特徴とする請求項４記載のカラオケ装置。
【発明の詳細な説明】
【０００１】
【発明の属する技術分野】
この発明は、入力音声を変換処理して出力するカラオケ装置に関する。
【０００２】
【従来の技術】
近年、カラオケの分野においては、入力音声に周波数変換等の処理を施して様々な効果を得る音声変換機能を備えたカラオケ装置が各種開発されている。例えば、入力音声の音程やフォルマント（声道の共振周波数）をシフトさせて、男性の声を女性の声に、女性の声を男性の声にそれぞれ変換する、いわゆる男女間の音声変換を行うカラオケ装置が知られている。
【０００３】
【発明が解決しようとする課題】
ところで、従来のカラオケ装置における男女変換は、その変換方向を利用者がマニュアルで指定するようになっている。例えば、女性ボーカルの楽曲を男性の利用者が歌唱する場合には、男から女への変換モードを指定し、女性の利用者が歌唱する場合には変換モードを解除する必要がある。このような操作を演奏曲が変わる度に、あるいは歌唱者が変わる度に行うことは、利用者にとって極めて面倒な作業であった。また、操作が煩雑なために指定を誤る場合も多く、例えば男性の声であるにもかかわらず女から男への変換モードを指定した場合には低い声がより一層低い声となるため利用者に聴き苦しい思いをさせることもあった。さらに、従来の音声変換では、入力音声の声質を考慮することなくピッチシフトやフォルマントシフトを施すため、声質によっては変換後の音声がかえって不自然になる場合も多かった。
【０００４】
この発明は、このような背景の下になされたもので、男女間の音声変換を行なう場合に、曲種と歌唱者の性別に基づいて変換モードを自動的に切り換えることができるカラオケ装置を提供することを目的としている。
また、この発明の他の目的は、入力音声の声質を考慮して適切な音声変換を行うことができるカラオケ装置を提供することにある。
【０００５】
【課題を解決するための手段】
上述した課題を解決するために、請求項１記載の発明は、歌唱者の入力音声を高音側へシフトする男から女への音声変換と該入力音声を低音側へシフトする女から男への音声変換の二方向の音声変換を選択的に行う音声変換手段と、前記入力音声を分析して当該歌唱者の性別を判別する音声分析手段と、前記音声分析手段の判別結果と楽曲のボーカルの性別とを比較し、前記音声分析手段の判別結果が男、前記ボーカルの性別が女である場合には、男から女への音声変換の方向を前記音声変換手段に指定する一方、逆の場合には、女から男への音声変換の方向を前記音声変換手段に指定する変換方向指定手段とを具備することを特徴としている。
【０００６】
また、請求項２記載の発明は、請求項１に記載の発明において、
カラオケの楽曲データに識別情報を含めておき、
この識別情報に基づき楽曲のボーカルの性別を判別する判別手段を具備することを特徴としている。
【０００７】
また、請求項３記載の発明は、歌唱者の入力音声を高音側へシフトする男から女への音声変換と該入力音声を低音側へシフトする女から男への音声変換の二方向の音声変換を選択的に行う音声変換手段と、前記入力音声を分析してその音高を検出する音声分析手段と、前記音声分析手段によって検出される音高と楽曲のメロディの音高とを比較し、前記音声分析手段によって検出される音高が前記楽曲のメロディの音高より所定量以上高い場合には、女から男への音声変換の方向を前記音声変換手段に指定する一方、前記音声分析手段によって検出される音高が前記楽曲のメロディの音高より所定量以上低い場合には、男から女への音声変換の方向を前記音声変換手段に指定する変換方向指定手段とを具備することを特徴としている。
【０００８】
また、請求項４記載の発明は、請求項１ないし３のいずれかに記載の発明において、
前記音声変換手段による音声変換は、音高のシフトのみならず、フォルマントのシフトを伴うことを特徴としている。
【０００９】
また、請求項５記載の発明は、請求項４記載の発明において、前記音声分析手段は、入力音声のフォルマント特性をも分析するとともに、前記音声変換手段は、前記音声分析手段の分析結果に応じて、男から女への音声変換を行う場合には、第１および第２フォルマントの間隔が広いほどシフト量が少なくなるように入力音声のフォルマントをシフトさせる一方、女から男への音声変換を行う場合には、第１および第２フォルマントの間隔が広いほどシフト量が大きくなるように入力音声のフォルマントをシフトさせることを特徴としている。
【００１０】
【発明の実施の形態】
以下、図面を参照して、この発明の実施形態について説明する。なお、以下の実施形態は、本発明を通信カラオケ装置に適用したものであるが、本発明はかかるカラオケ装置への適用に限らず、その他のカラオケ装置にも適用可能である。
【００１１】
Ａ：第１実施形態
（１）実施形態の構成
▲１▼全体構成
図１はこの発明の一実施形態の全体構成を示すブロック図である。同図において、１はセンタ局に設置されたホストコンピュータであり、カラオケの楽曲データを蓄積したデータベースを有している。このホストコンピュータ１には、通信回線（電話回線またはＩＳＤＮ）を介し、各カラオケ店舗に設置された複数のカラオケ端末２が接続されており、定期的に楽曲データを各カラオケ端末２に配信するようになっている。以下、このカラオケ端末２を構成する各部を説明する。
【００１２】
２１はＣＰＵ（中央処理装置）であり、バスＢＵＳを介し接続される端末各部を制御する。また、２２はＲＯＭ(Read Only Memory)であり、ＣＰＵ２１が実行する制御プログラムおよび楽曲データに含まれる歌詞コードに対応したフォントデータを記憶する。さらに、２３はＲＡＭ(Random Access Memory)であり、ＣＰＵ２１のワークエリアとして用いられる。
【００１３】
また、２４はハードディスクであり、ホストコンピュータ１から配信される楽曲データを記憶する。すなわち、カラオケ端末２においては、ホストコンピュータ１から供給される楽曲データを一旦ハードディスク２４に蓄積し、これを読み出して用いるようになっている。２５は通信コントローラであり、ホストコンピュータ１から送信される楽曲データを受信しこれをハードディスク２４へ転送する。この通信コントローラ２５は、通信回線が電話回線の場合モデムであり、ＩＳＤＮの場合ターミナルアダブタである。
【００１４】
ここで、楽曲データの内容について説明する。１曲についての楽曲データは、図２に示すように、ヘッダ、楽音トラック、表示トラック、音声トラック、効果制御トラック、および音声データ領域からなっている。ヘッダは、その曲に関する種々のデータが書き込まれる部分であって、「曲名」、曲の識別情報である「曲コード」、その曲を歌っている歌手またはアーティストを示す「歌手コード」、音楽ジャンルや季節等の曲の属性を示す「ジャンルコード」、曲の長さを示す「演奏時間」等のデータが記述されている。
【００１５】
楽音トラックには、楽音合成を制御するシーケンスデータが記述されており、発音、消音等を制御するイベントデータとタイミングを制御するデュレーションデータからなっている。表示トラックには、曲の進行と同期して表示すべきカラオケの歌詞に対応したコード情報が記述されている。音声トラックには、曲の進行と同期して音声データ領域からバックコーラス等の効果音のＡＤＰＣＭデータを読み出すためのアドレス情報等が記述されている。さらに、効果制御トラックには、エコー、リバーブ等の楽音に付与すべき効果を制御する制御データが記述されている。
【００１６】
さて、図１において、２６はパネルスイッチであり、カラオケ装置本体の操作パネル（図示略）に設けられ、例えば演奏の開始または中止を指示する操作の他、ボリューム、テンポ、キーコントロールあるいは後述する音声変換のためのピッチシフトおよび声質等の設定操作がなされる。パネルスイッチ２６は、こうした指示操作や設定状態に対応した入力値あるいは設定値をＣＰＵ２１へ出力する。また、２７はリモコン受信部であり、リモコン端末ＲＭＣから入力される曲コードや演奏の開始または中止などの指示操作に対応した信号を受信し、これを入力値としてＣＰＵ２１へ出力する。さらに、２８はＬＣＤ(Liquid Crystal Display)等で構成された表示パネルであり、リクエスト中の曲コードや各種設定状態等のメッセージを表示する。
【００１７】
次に、２９は音源であり、ＣＰＵ２１により供給される楽音制御データ（楽曲データに含まれる。）に対応した楽音信号を合成しこれを効果用ＤＳＰ(Digital Signal Processor)３０へ出力する。３１は音声デコーダであり、ＣＰＵ２１により供給されるＡＤＰＣＭデータ（楽曲データに含まれるバックコーラス等の音声データ）に対応した音声信号を生成しこれを効果用ＤＳＰ３０へ出力する。
【００１８】
また、３２は音声変換部であり、マイクアンプ３３によって増幅されＡ／Ｄ変換器３４を介しディジタル信号に変換されたマイクＭからの入力音声に対して所定の音声変換処理を施す。この変換後の音声信号は、効果用ＤＳＰ３０および採点機３５へ各々供給される。なお、音声変換部３２の詳細については後述する。
【００１９】
効果用ＤＳＰ３０は、ＣＰＵ２１により供給される効果制御データ（楽曲データに含まれる。）に基づき、音源２９から供給される楽音信号、音声デコーダ３１から供給されるバックコーラス等の音声信号、および音声変換部３２によって変換処理を施されたマイク入力に対し、エコー、リバーブ、ディレイ等の各種効果を付与する。こうして効果付与された楽音は、Ｄ／Ａ変換器３７によってアナログ信号に変換された後、サウンドシステム３６に送られ、スピーカより放音される。
【００２０】
一方、採点機３５は、音声変換部３２におけるマイク入力の分析結果（後述する）に基づき歌唱者の歌唱力を評価し、その採点結果を数値データとして出力する。
【００２１】
次に、３８は表示制御部であり、モニタ３９の表示制御を行う。この表示制御部３８は、カラオケの演奏中、動画ＣＤ等の映像記憶装置４０から供給されるカラオケの背景映像を表示するための映像データに、ＲＯＭ２２から読み出される歌詞のフォントデータをスーパーインポーズし、その合成画像をモニタ３９に表示させる。また、表示制御部３８は、カラオケの演奏終了後、採点機３５の採点結果をモニタ３９に表示させる。
【００２２】
▲２▼音声変換部３２の構成
次に、音声変換部３２の構成について説明する。図３は、音声変換部３２の構成を示すブロック図である。同図において、３２１は、マイクＭからの入力音声を分析する音声分析部である。この音声分析部３２１は、入力音声のピッチ抽出およびフォルマント分析を行い、歌唱者の性別判定と声質パラメータの抽出を行う。
【００２３】
ここで、音声分析部３２１は、入力音声のピッチが第１のしきい値ＰＨ以上であれば歌唱者が女性であると判定し、第２のしきい値ＰＬ（ＰＬ＜ＰＨ）以下であれば歌唱者が男性であると判定する。また、入力音声のピッチがＰＬ以上ＰＨ以下のボーダ領域にある場合には、ピッチのみでは判定できないことから、入力音声のフォルマントを基に判定を行う。例えば、女性の声は、第１フォルマントと第２フォルマントの間隔が男性の声より広いという傾向があることから、当該間隔に基づいて性別を判定する。また、低音の女性の声は、高音域においてノイズ成分が少ないという特性を有することから、一定の場合、高音域におけるノイズ成分の量に基づいて性別を判定する。
【００２４】
また、声質パラメータとは、入力音声の周波数軸上における包絡形状の特徴を示すパラメータをいい、具体的には、第１フォルマントおよび第２フォルマントの位置（周波数軸上の位置）と大きさ（レベル）が含むものである。特に、第２フォルマントの位置と大きさは入力音声の特徴に大きく関わるため、重要な声質パラメータとなる。
【００２５】
また、図示を略しているが、音声分析部３２１は、入力音声の音量をも抽出し、該音量と前述のピッチ抽出結果（すなわち音程）を採点機３５へ出力する。採点機３５は、入力音声の音量および音程と楽曲データとに基づき、歌唱力を採点する。
【００２６】
次に、３２２は、カラオケの歌手またはアーティストの性別を判定する性別判定部である。この性別判定部３２２は、歌手コードと性別との対応関係を示す性別判定テーブルを保持しており、楽曲データのヘッダから読み取った歌手コードをキーとして当該テーブルを参照しその性別を取得する。
【００２７】
次に、３２３は、音声変換制御用のパラメータを生成するパラメータ生成部である。このパラメータ生成部３２３は、まず音声変換部３２１と性別判定部３２２双方の性別判定結果を比較し、この比較結果に基づき性別変換モードを指定するパラメータを生成する。すなわち、音声変換部３２１の性別判定結果が「男」、性別判定部３２２の性別判定結果が「女」である場合、男から女への変換モードを指定し、逆の場合、女から男への変換モードを指定する。また、両者の性別判定結果が一致した場合、性別変換を行う必要がないことから無変換モードを指定する。
【００２８】
また、パラメータ生成部３２３は、歌唱者の声質に応じて適切な音声変換を施すべく、音声変換部３２１によって抽出された声質パラメータに基づき声質補正パラメータを生成する。すなわち、入力音声の声質によっては、男女変換（いわゆるオクターブシフト）を行うと、変換後の音声が不自然になる場合がある（ロボット声等と呼ばれるもの）。そこで、パラメータ生成部３２３は、標準的あるいは典型的な男女の声の声質パラメータを記憶しており、音声変換にあたって、入力音声から抽出した声質パラメータを当該記憶している声質パラメータに近づけるような補正をすべく、声質補正パラメータを生成する。なお、声質補正の具体的な態様については、後述する。
【００２９】
次に、３２４はボイスチェンジ部であり、パラメータ生成部３２３から供給されるパラメータに基づき入力音声に対して変換処理を施す。このボイスチェンジ部３２４は、図４に示すように、ピッチシフト部３２４１とフォルマントシフト部３２４２からなっている。
【００３０】
ピッチシフト部３２４１は、例えばレント法と呼ばれるピッチ変換手法によって入力音声をピッチシフトさせる。このレント法とは、入力音声信号の繰り返し波形に着目し、その繰り返し波形をハニングウィンドウと呼ばれる繰り返し波形に対応した周期の切り出し窓によって切り出し、これをさらに切り出し時とは異なる周期で再合成するものである。すなわち、レント法においては、再合成の周期を伸長または短縮することにより入力音声のフォルマントをある程度保存しつつピッチ変換することが可能である。
【００３１】
例えば、男から女への変換では、再合成の周期を切り出し時の２分の１に短縮することによりピッチが２倍となり、これによって音程が１オクターブ上がる。一方、女から男への変換では、再合成の周期を切り出し時の２倍に伸長することによりピッチが２分の１となり、これによって音程が１オクターブ下がる。
【００３２】
また、フォルマントシフト部３２４２は、入力音声のフォルマントに対応する周波数成分を入力サンプルクロックとは異なる読み出しサンプルクロックで読み出すことによりフォルマントをシフトさせる。また、ピッチシフト部３２４１およびフォルマントシフト部３２４２の各々のシフト量は、いずれもパラメータ生成部３２３から供給されるパラメータによって制御される。
【００３３】
なお、ボイスチェンジ部３２４は、パネルスイッチ２４からの手動入力に応じて手動モードによる音声変換を行うことも可能である。この場合、ピッチシフト量とフォルマントシフト量は手動で指定される。
【００３４】
（２）実施形態の動作
次に、上記構成からなる実施形態の動作を説明する。
▲１▼全体動作
はじめに、本実施形態にかかるカラオケ装置の全体動作を説明する。ただし、楽曲データは、既にホストコンピュータ１からカラオケ端末２へ配信されており、ハードディスク２４に格納されているものとする。
【００３５】
まずカラオケ端末２に電源が投入され、リモコン端末ＲＭＣより曲コードが入力されると、この曲コードを示す光信号が発信され、これがリモコン受信部２７によって受信される。これによりＣＰＵ２１は指定された曲コードを識別し、この曲コードに対応する楽曲データをハードディスク２４から読み出し、再生を開始する。
【００３６】
そして、楽曲データの楽音トラックから読み出される楽音制御情報（イベントデータに含まれる）がデュレーションデータによって指定されたタイミングで音源２９に供給され、これによってカラオケの演奏が行われる。一方、楽曲データのヘッダで指定されたジャンルコードに対応する背景映像が映像記憶装置４０より再生される。これにより、その曲の音楽ジャンルや季節等に合った背景映像が選択される。また、再生された背景映像には、楽曲データの表示トラックから読み出される歌詞コードに対応するフォント画像がスーパーインポーズされ、モニタ３９に表示される。
【００３７】
一方、マイクＭから入力される利用者の歌唱音声は、効果用ＤＳＰ３０において、音源２９から出力されるカラオケの楽音および音声デコーダ３１から出力されるバックコーラス音とともにエコー、リバーブ等の各種効果が付与された後、サウンドシステム３６へ送られ、スピーカより放音される。
【００３８】
▲２▼音声変換の動作
次に、上述したカラオケ演奏において、利用者がパネルスイッチ２６より自動による音声変換モードを指示した場合の動作を説明する。
以下、女性ボーカルの楽曲を男性が歌唱する場合を例として説明する。この場合、楽曲データのヘッダで指定された歌手コードが性別判定部３２２によって読み取られ、性別判定テーブルの参照によって当該曲が女性ボーカルの楽曲であると判定される。この判定結果は、パラメータ生成部３２３へ供給される。
【００３９】
一方、男性の歌唱者による入力音声は、音声分析部３２１によって分析され、その音程が第１および第２のしきい値ＰＨ，ＰＬと比較される。ここで、入力音声が男性に典型的な低音の音声であれば、その音程は第２のしきい値ＰＬより低くなるので男性であると判定される。また、入力音声の音程が男性としては高く、第１のしきい値ＰＨより低いものの第２のしきい値ＰＬを超えるような場合には、音程のみでは性別判定ができない。そこで、この場合の判定基準としてフォルマント分析の結果も考慮される。すなわち、男性の場合、検出される第１フォルマントと第２フォルマントの間隔が狭いことから、その間隔が所定のしきい値より小さければ男性であると判定される。また、上記フォルマントの間隔によっても判定が困難な場合には、さらに高音域におけるノイズ成分の量を調べ、多い場合には男性であると判定される。
こうして得られる判定結果は、フォルマント分析によって得られる声質パラメータとともにパラメータ生成部３２３へ供給される。
【００４０】
そして、パラメータ生成部３２３においては、性別判定部３２２と音声分析部３２１双方の性別判定結果が比較され、この比較結果から女性ボーカルの楽曲が男性によって歌唱されていることが認識される。これにより、ボイスチェンジ部３２４に対し、男から女への性別変換モードが指定される。
【００４１】
また、パラメータ生成部３２３においては、歌唱者の声質に対応した音声変換を行うべく、音声分析部３２１から供給される声質パラメータに基づき、変換後の音声のフォルマントを補正する声質補正パラメータが生成され、これがボイスチェンジ部３２４へ出力される。ボイスチェンジ部３２４は、男声から女声へのピッチ変換を行うべく、ピッチシフト部３２４１において入力音声のピッチを１オクターブ高音側にシフトさせた後、フォルマントシフト部３２４２においてパラメータ生成部３２３から供給される声質補正パラメータに応じてフォルマントの位置をシフトさせる。
【００４２】
ここで、男声から女声への変換においては、以下の態様で声質補正を行う。すなわち、一般に男声より女声の方が第１および第２フォルマントの間隔が広いため、男声から女声への変換を行う場合、第２フォルマントを高域側にシフトさせて上記フォルマントの間隔を広げる必要がある。このとき、入力音声の第１および第２フォルマントの間隔が元々広い男声を女声に変換する場合には、第２フォルマントの高域側へのシフト量を少なくする。一方、入力音声の第１および第２フォルマントの間隔が元々狭い男声を女声に変換する場合には、第２フォルマントの高域側へのシフト量を大きくする。
【００４３】
また、上述したカラオケの演奏中に歌唱者が男性から女性に変更された場合、性別判定部３２２と音声分析部３２１双方の判定結果が一致することから、パラメータ生成部３２３よりボイスチェンジ部３２４に対し性別変換の停止が指示される。これにより、ボイスチェンジ部３２４は、入力音声に対して何も処理を施さずに出力する。
【００４４】
一方、男性ボーカルの楽曲を女性が歌唱する場合においては、上記と逆に女声から男声への音声変換が行われる。この場合、音程については高音側へオクターブシフトされる。また、声質補正については、上述した男声から女声への変換とは逆の観点で、第２フォルマントのシフト（この場合、低域側へのシフト）が行われる。
【００４５】
Ｂ：第２実施形態
次に、この発明の第２実施形態について説明する。図５は、この発明の第２実施形態による音声変換部３２′の構成を示すブロック図である。この図に示す音声変換部３２′が、図３に示す音声変換部３２と異なる点は、性別判定に基づいて音声変換の方向（男から女あるいは女から男）を決定するのではなく、楽曲のメロディと入力音声とを音程比較して上記音声変換の方向を決定するところにある。したがって、音声変換部３２′は、性別判定部３２２を有さず、また、音声分析部３２１′が性別判定をすることはない。
【００４６】
この場合、音声分析部３２１′は、性別判定に代えてピッチ検出によって得られる入力音声の音程情報をパラメータ生成部３２３′へ出力する。パラメータ生成部３２３′には入力音声の音程情報と楽曲のメロディ情報とが入力される。これによってパラメータ生成部３２３′は、楽曲のメロディと入力音声とを音程比較し、例えば以下の基準によって音声変換の方向を決定する。すなわち、入力音声とメロディとの音程のずれが半オクターブ以内である場合、パラメータ生成部３２３′は、ボイスチェンジ部３２４に対して音声変換を指示しない。また、入力音声の音程がメロディより半オクターブ以上高い場合、パラメータ生成部３２３′は、ボイスチェンジ部３２４に対して女から男への音声変換を指示する。一方、入力音声の音程がメロディより半オクターブ以上低い場合、パラメータ生成部３２３′は、ボイスチェンジ部３２４に対して男から女への音声変換を指示する。その他の構成および動作は、前述の第１実施形態と同様である。
【００４７】
Ｃ：その他の変形例
なお、本発明は、既述した実施形態に限らず、例えば以下のような種々の変形が可能である。
（１）第１実施形態においては、歌手コードと性別との対応関係に基づいて楽曲の性別判定を行ったが、本発明は、これに限らず、曲コードと性別との対応関係に基づいて性別判定を行ってもよい。あるいは、歌手コードを曲コードから独立した情報として構成するのではなく、曲コードの一部の桁を歌手コードに割り当て、この歌手コードと性別との対応関係に基づいて性別判定を行ってもよい。
また、これらに代えて性別コードを楽曲データのヘッダに含め、性別を直接指定してもよい。
【００４８】
（２）また、例えばデュエット曲の場合、男性パートと女性パートがあり、男性のみが歌う部分と、女性のみが歌う部分と、男性と女性が同時に歌う部分とがある。この場合、曲の途中で楽曲の性別が変わるため、第１実施形態のように歌手コードに基づく性別判定では対応することができない。そこで、このような場合、例えば楽曲データのボーカルの性別が切り替わるタイミングで性別コードを含ませておき、この性別コードに基づいて性別判定部３２２がパートの性別を判定するよう構成すれば対応可能である。
一方、第２実施形態では、カラオケのメロディと歌唱音声との音程のずれに基づいて男女変換モードを決定するので、上記のようなデュエット曲にも対応可能である。
【００４９】
（３）また、実施形態では、音声変換手段としてピッチシフトとフォルマントシフトを併用する構成を採用したが、本発明は、このような形態に限らず、構成の簡単化を図るためピッチシフトのみに対応した構成を採用してもよい。ただし、この場合、実施形態のような声質補正は行われない。
【００５０】
【発明の効果】
以上説明したように、この発明によれば、男女間の音声変換を行うな場合に、曲種と歌唱者の性別に基づいて変換モードを自動的に切り換えることができる（請求項１ないし５）。
【００５１】
さらに、請求項５記載の発明によれば、入力音声の声質を考慮して適切な音声変換を行うことができる。
【図面の簡単な説明】
【図１】  この発明の第１実施形態の全体構成を示すブロック図である。
【図２】  同実施形態における楽曲データの内容を示すデータフォーマット図である。
【図３】  同実施形態における音声変換部の構成を示すブロック図である。
【図４】  同音声変換部におけるボイスチェンジ部の構成を示すブロック図である。
【図５】  この発明の第２実施形態における音声変換部の構成を示すブロック図である。
【符号の説明】
１…ホストコンピュータ、２…カラオケ端末、２１…ＣＰＵ、２２…ＲＯＭ、２３…ＲＡＭ、２４…ハードディスク、２５…通信コントローラ、２６…パネルスイッチ、２７…リモコン受信部、２８…表示パネル、２９…音源、３０…効果用ＤＳＰ、３１…音声デコーダ、３２…音声変換部、３３…マイクアンプ、３４…Ａ／Ｄ変換器、３５…採点機、３６…サウンドシステム、３７…Ｄ／Ａ変換器、３８…表示制御部、３９…モニタ、４０…映像記憶装置、３２１，３２１′…音声分析部（音声分析手段）、３２２…性別判定部（判別手段）、３２３，３２３′…パラメータ生成部（変換方向指定手段）、３２４…ボイスチェンジ部（音声変換手段）、３２４１…ピッチシフト部、３２４２…フォルマントシフト部。
【図１】
0003900580.tif 000002
【図２】
0003900580.tif 000003
【図３】
0003900580.tif 000004
【図４】
0003900580.tif 000005
【図５】
0003900580.tif 000006